(57)【特許請求の範囲】
【請求項１】
収納部を有するキャビネット本体と、このキャビネット本体の上面に、キャビネット本体の右側から所定長さだけ張り出した状態で取り付けられる金属製天板とを有しており、前記金属製天板の張出部が、上部と、この上部の端縁に連設された垂下部と、この垂下部の下縁にキャビネット本体側に向かって張り出し状に連設された支承部とを有しており、前記垂下部とキャビネット本体の側板との間にスペーサーが介在され、このスペーサーが垂下部とキャビネット本体の側板とに挟持されると共に支承部によって支承されており、前記スペーサーは正面視において断面形状倒コ字状で、且つ、左側の垂下部の内側に下方に開放した、スペーサー支持具挿入用の凹所を形成するための板材が取り付けられている厨房キャビネット。
【発明の詳細な説明】
【０００１】
【産業上の利用分野】
本発明は厨房キャビネットに関する。
【０００２】
【既に開発の技術】
本願出願人は厨房キャビネットの連結構造を既に出願している（特願平５−１８１４４号出願参照）。
以下、その厨房キャビネットの連結構造を図６〜図８を参照しつつ説明する。なお、この説明において、前とは図６紙面表側を、後とは同裏側をいい、左とは図６左側を、右とは同図右側をいう。
平面から見て、一直線状に配される厨房装置１は、流し台３と、この流し台３に隣接して配されるガス台１１とを有している。
前記ガス台１１の金属製天板１２の水平状本体１３の上面が、流し台３の金属製天板４の水平状本体５の上面より低くなされている。
【０００３】
前記流し台３の金属製天板４の、ガス台１１に隣接する側の縁部（バックガード６を含む右端部全体）に張出部７が連設されている。
【０００４】
ガス台１１には、上方及び前方に開方したガステーブル収納空間１４が形成され、このガステーブル収納空間１４にガステーブル１５が収納・載置されている。なお、金属製天板１２に開口を形成せずに、金属製天板１２上にガステーブル１５や電気調理器等を置くようにしてもよい。
【０００５】
ガス台１１の金属製天板１２の、流し台３に隣接する側の縁部に、前記張出部７の下方に位置し、張出部７の下端に上面が密接する立上り突壁１６が連設されている。なお、金属製天板１２のバックガード１７の、流し台３に隣接する側の部分は、張出部７のバックガード６の部分を逃げるように切除されたかたちとなっている。
【０００６】
前記厨房キャビネットの連結構造は、張出部７によって流し台３とガス台１１との間に生じる間隙の上部を覆ったかたちとなるので、その間隙に調理屑等が入り込むことがなく、またその間隙が上方からは見えないので、意匠的にもスッキリしたものとすることが出来るという利点を有するものである。
【０００７】
【前記技術の欠点】
前記連結構造の実施に使用する流し台３を製造する上で以下の如き欠点があった。即ち、ガス台１１は、一般的には、扉等を備えた収納部を有するキャビネット本体３１と、このキャビネット本体３１の上面に、キャビネット本体３１の左の側板３２と外側面が面一となるようにして取り付けられる、立上り突壁１６を有する金属製天板１２とを有している。そして、前記立上り突壁１６の左右幅（立上り突壁１６の左外面から右外面までの距離）Ｈは、一般的には３０ｍｍ前後であるので、立上り突壁１６の左右幅を精度よく形成することは容易であり、また、立上り突壁１６の外側面をキャビネット本体３１の側板３２の外側面と面一とするように、金属製天板１２をキャビネット本体３１に取り付けることも容易である。その結果、ガス台１１の、流し台３側の外側面を面一とすることは容易である。
【０００８】
他方、流し台３は、扉等を備えた収納部を有するキャビネット本体２１と、このキャビネット本体２１の上面の補強板２２に、ガス台１１の立上り突壁１６側に張り出した状態で取り付けられる金属製天板４とを有しており、前記金属製天板４の張出部７が、上部７ａと、この上部７ａの端縁に連設された垂下部７ｂとを有しているものである。ところで、キャビネット本体２１の側板２３と金属製天板４の張出部７の外側面との長さを、立上り突壁１６の左右幅Ｈと等しくするように、金属製天板４をキャビネット本体２１に取り付ける作業は以下の理由によって極めて困難であった。即ち、キャビネット本体２１は設定しようとする３０ｍｍ程度の長さに比較して一般的には１７００ｍｍ以上の相当に長い左右方向長さを有し、また、金属製天板４はキャビネット本体２１の左右長さに３０ｍｍ程度を加えた長さを有するものであり、且つ、キャビネット本体２１及び金属製天板４の製作精度にも一定の限界があったからである。
そのため、金属製天板４の張出部７の外側面Ｆ１と立上り突壁１６の内側面Ｆ２（図８参照）とを面一とすることが困難であり、その結果、意匠面で問題があるという欠点があった。
【０００９】
【前記欠点を解消するための手段】
本発明は前記欠点を解消するために以下の如き手段を採用した。
本発明は、収納部を有するキャビネット本体と、このキャビネット本体の上面に、キャビネット本体の右側から所定長さだけ張り出した状態で取り付けられる金属製天板とを有しており、前記金属製天板の張出部が、上部と、この上部の端縁に連設された垂下部と、この垂下部の下縁にキャビネット本体側に向かって張り出し状に連設された支承部とを有しており、前記垂下部とキャビネット本体の側板との間にスペーサーが介在され、このスペーサーが垂下部とキャビネット本体の側板とに挟持されると共に支承部によって支承されており、前記スペーサーは正面視において断面形状倒コ字状で、且つ、左側の垂下部の内側に下方に開放した、スペーサー支持具挿入用の凹所を形成するための板材が取り付けられているものである。
【００１０】
【発明の作用】
本発明は以下の如き作用をなすものである。
左右幅３０ｍｍ前後のスペーサーの左右幅を精度良く製造することは簡単であり、このスペーサーを利用して金属製天板をキャビネット本体に取り付けることが出来るので、即ち、スペーサーを利用して、張出部の張り出し長さを正確に定めることが出来るので、金属製天板の張出部の外側面とその下方に位置する立上り突壁の内側面とを容易に面一とすることが出来る。
【００１１】
【実施例】
以下に本発明を図１〜図５を参照しつつ実施例に基づいて説明する。
なお、この実施例において、前とは図１紙面表側を、後とは同裏側をいい、左とは図１左側を、右とは同図右側をいう。また、図６〜図８で示した部材と同一の部材は同一の符号で示す。
【００１２】
流し台３（請求の範囲でいう厨房キャビネット）の金属製天板４の張出部７が、上部７ａと、この上部７ａの端縁に連設された垂下部７ｂと、この垂下部７ｂの下縁にキャビネット本体２１側に向かって張り出し状に連設された支承部７ｃとを有している。
前記垂下部７ｂとキャビネット本体２１の側板２３との間に前後２個のスペーサー４１が介在され、これらスペーサー４１が垂下部７ｂとキャビネット本体２１の側板２３とに挟持されると共に支承部７ｃによって支承されている。
前記スペーサー４１は正面視において断面形状倒コ字状で、且つ、左側の垂下部の内側に下方に開放した、スペーサー支持具挿入用の凹所４２を形成するための板材４３が取り付けられている（図３参照）。スペーサー４１の左右幅は３０ｍｍ前後で、前後長さは７０ｍｍ前後で、高さは１５ｍｍ前後である。
【００１３】
金属製天板４は以下のようにしてキャビネット本体２１に固定される。
まず、キャビネット本体２１に金属製天板４を被せ、張出部７がキャビネット本体２１から突出するように金属製天板４をキャビネット本体２１に対して右側に片寄らせる。その後、図４に示すスペーサー支持具４６の細幅上端部４６ａをスペーサー４１の凹所４２に嵌めた状態で、スペーサー４１の右側を支承部７ｃに支承させ、その後、左下がりとなっていたスペーサー４１をスペーサー支持具４６によって垂下部７ｂを撓ませつつ押し上げて、スペーサー４１を水平状態とする。その作業が完了すると、スペーサー４１は、垂下部７ｂとキャビネット本体２１の側板２３とによって挟持されると共に支承部７ｃによって支承される。その後、スペーサー支持具４６をスペーサー４１から外し、最後に、金属製天板４をキャビネット本体２１に固定する（図５参照）。
【００１４】
左右幅３０ｍｍ前後のスペーサー４１の左右幅を精度良く製造することは簡単であり、このスペーサー４１を利用して金属製天板４をキャビネット本体２１に取り付けることが出来るので、即ち、スペーサー４１を利用して、張出部７の張り出し長さ（側板２３の外側面から垂下部７ｂの外側面までの長さ）を正確に定めることが出来るので、金属製天板４の張出部７の外側面Ｆ１とその下方に位置する立上り突壁１６の内側面Ｆ２とを容易に面一とすることが出来る。
【００１５】
【変形例等】
以下に変形例等について説明を加える。
（１）流し台３とガス台１１とはボルト・ナットによって相互に連結されることもある。
（２）厨房キャビネットは流し台に限定されない。
（３）スペーサー４１は少なくとも１つあればよい。
【００１６】
【発明の効果】
本発明は前記した如き構成によって以下の如き効果を奏するものである。
左右幅３０ｍｍ前後のスペーサーの左右幅を精度良く製造することは簡単であり、このスペーサーを利用して金属製天板をキャビネット本体に取り付けることが出来るので、即ち、スペーサーを利用して、張出部の張り出し長さを正確に定めることが出来るので、金属製天板の張出部の外側面とその下方に位置する立上り突壁の内側面とを容易に面一とすることが出来、その結果、連結部を意匠的にスッキリしたものとすることが出来る。
【図面の簡単な説明】
【図１】本発明の実施例を示す正面から見た中間省略の要部縦断面図である。
【図２】図１のＩＩ−ＩＩ線断面図である。
【図３】スペーサーの斜視図である。
【図４】スペーサー支持具の斜視図である。
【図５】スペーサー支持具を利用してスペーサーを金属製天板の垂下部とキャビネット本体の側板との間に入れた状態の要部縦断面図である。
【図６】既に開発の厨房キャビネットの連結構造を示す簡略正面図である。
【図７】流し台とガス台とを分離して背面側から見た要部斜視図である。
【図８】正面から見た中間省略の要部縦断面図である。
【符号の説明】
３  流し台
４  金属製天板
７  張出部
７ａ  上部
７ｂ  垂下部
７ｃ  支承部
２１  キャビネット本体
２３  側板
４１  スペーサー
４２  凹所
【図１】
0003609482.tif 000002
【図２】
0003609482.tif 000003
【図３】
0003609482.tif 000004
【図４】
0003609482.tif 000005
【図５】
0003609482.tif 000006
【図６】
0003609482.tif 000007
【図７】
0003609482.tif 000008
【図８】
0003609482.tif 000009